(57)【要約】【課題】操作器から出力されたＤＭＸ信号のアドレスに対して必要なシフトを施して調光器へ与える。【解決手段】有線により送られる調光制御を行うためのＤＭＸ信号を受信する有線受信部２１と；有線受信部２１により受信されたＤＭＸ信号のアドレスをシフトさせるシフト値を設定する設定スイッチ２２と；設定スイッチ２２により設定されたシフト値に基づき、有線受信部２１により受信されたＤＭＸ信号のアドレスをシフトさせるＣＰＵ２３と；ＣＰＵ２３によりシフトされたアドレスのＤＭＸ信号を無線にて送信する無線送信部２４と；を具備する【選択図】図１
2008235122.tif 000002
【特許請求の範囲】
【請求項１】
操作器から有線により送られる調光制御を行うためのＤＭＸ信号を受信する有線受信部と、この有線受信部により受信されたＤＭＸ信号のアドレスをシフトさせるシフト値を設定する設定手段と、この設定手段により設定されたシフト値に基づき、上記有線受信部により受信されたＤＭＸ信号のアドレスをシフトさせるシフト手段と、このシフト手段によりアドレスがシフトされたＤＭＸ信号を無線にて送信する無線送信部とを具備する無線送信機と；
無線により送られるＤＭＸ信号を受信する無線受信部と、この無線受信部により受信されたＤＭＸ信号を有線にて送信する有線送信部とを具備する無線受信機と；
無線受信機に接続され、当該無線受信機から送信されるＤＭＸ信号を、設定されているアドレスに対応して取り込み制御対象の調光制御を行う照明制御手段と；
を具備することを特徴とする照明システム。
【請求項２】
無線受信機が複数台設けられると共に、それぞれの無線受信機に対応して１台以上の照明制御手段が接続されていることを特徴とする請求項１に記載の照明システム。
【請求項３】
無線受信機は、無線受信部により受信されたＤＭＸ信号のアドレスをシフトさせるシフト値を設定する設定手段と、この設定手段により設定されたシフト値に基づき、上記無線受信部により受信されたＤＭＸ信号のアドレスをシフトさせるシフト手段とを具備し、この無線受信機の有線送信部が上記シフト手段によりシフトされたアドレスのＤＭＸ信号を有線にて送信することを特徴とする請求項１または２に記載の照明システム。
【請求項４】
有線（または無線）により送られる調光制御を行うためのＤＭＸ信号を受信する有線（または無線）受信部と；
有線（または無線）受信部により受信されたＤＭＸ信号のアドレスをシフトさせるシフト値を設定する設定手段と；
設定手段により設定されたシフト値に基づき、有線（または無線）受信部により受信されたＤＭＸ信号のアドレスをシフトさせるシフト手段と；
シフト手段によりシフトされたアドレスのＤＭＸ信号を無線（または有線）にて送信する無線（または有線）送信部と；
を具備することを特徴とする無線通信装置。
【発明の詳細な説明】
【技術分野】
【０００１】
この発明は、ＤＭＸ信号のアドレスをシフトさせる機能を備えた無線受信機或いは無線送信機を用いて構成した照明システム及びこの照明システムに用いられる無線受信機或いは無線送信機である無線通信装置に関するものである。
【背景技術】
【０００２】
引用文献１には、無線親機が調光操作手段からの調光信号を受けて無線子機へ送信し、無線子機が調光器へ調光信号を送って調光器による照明負荷の調光制御を行うシステムが開示されている。
【０００３】
【特許文献１】特開２００６−１４０７６４号公報
【０００４】
ところで、調光信号としては、ＤＭＸ信号が良く用いられている。ＤＭＸ信号は、米国劇場技術協会（ＵＳＩＴＴ）が規格した演出分野などに用いられるディジタル信号であり、調光制御用の調光信号の規格として用いられているＤＭＸ５１２を指している。ＤＭＸ５１２は、スタートビットとストップビットに挟まれたそれぞれが８ビットにより構成されるチャネルが５１２チャネル多重化された構成を１フレームとする信号であり、上記５１２チャネルにおける所定の１チャネルが１つの調光器へ調光制御を行う２５６階調（８ビット）の調光信号とされる。１フレームの開始検出は、ブレーク（ＢＲＥＡＫ）とスタートコードを検出することにより行われる。また、各調光装置に含まれている調光器に対応するチャネルは、上記フレームの開始からスタートビットとストップビットに挟まれたチャネルが幾つ到来したかをカウントして検出する。
【０００５】
操作器から、上記のようなＤＭＸ信号を受けて無線により調光装置側へ送るシステムは例えば、図９に示すように構成されていた。天井に吊されたバトンなどと称される照明機器固定具２０１に調光器及び照明負荷を含む器具Ａ、Ｂ、Ｃを設置し、また照明機器固定具２０２に調光器及び照明負荷を含む器具Ｄ、Ｅ、Ｆを設置する。また、照明機器固定具２０１には無線受信機２０４を設置し、無線受信機２０４からＤＭＸ信号を器具Ａ、Ｂ、Ｃへ送信する。照明機器固定具２０２に無線受信機２０５を設置し、無線受信機２０５からＤＭＸ信号を器具Ｄ、Ｅ、Ｆへ送信する。
【０００６】
また、操作器１０１からＤＭＸ信号を無線送信機１０２へ送り、無線送信機１０２から無線により無線受信機２０４、２０５へＤＭＸ信号を送信する。この場合、操作器１０１から送出できる有効なアドレス（チャネル番号）が、チャネル「１、２、３」であるとすれば、器具Ａ、Ｂ、Ｃと器具Ｄ、Ｅ、Ｆのアドレスを図９における丸内に示すようにチャネル「１、２、３」に設定しておく必要がある。
【０００７】
ところが、器具Ｄ、Ｅ、Ｆのアドレスがチャネル「４、５、６」に設定（固定）されている場合には、器具Ｄ、Ｅ、Ｆでは固定のアドレスに対応してチャネル「４、５、６」に対応するＤＭＸ信号の調光レベルを取り込んでしまうので、例えば、器具Ｄ、Ｅ、Ｆについてもチャネル「１、２、３」に対応するＤＭＸ信号の調光レベルにて調光制御を行うことができない。
【０００８】
これに対して、ＤＭＸ信号のアドレスをシフトさせるシフト機器を操作器１０１と無線送信機１０２の間に介装させることも行われるが、シフト機器において１フレーム分のＤＭＸ信号の到来を待ってシフト処理を行い、更に、無線送信機１０２において１フレーム分のＤＭＸ信号の到来を待って無線送信処理を行うことから、遅延が発生するという問題がある。
【発明の開示】
【発明が解決しようとする課題】
【０００９】
本発明は上記のような従来の無線信号を用いた調光システムにおける問題点を解決せんとしてなされたもので、その目的は、操作器から出力されたＤＭＸ信号のアドレスに対して必要なシフトを施して調光器へ与えることができ、また、遅延の問題を低減させることが可能な照明システムを提供することである。更に、この照明システムに用いられる無線通信装置を提供することを目的とする。
【課題を解決するための手段】
【００１０】
本発明に係る照明システムは、操作器から有線により送られる調光制御を行うためのＤＭＸ信号を受信する有線受信部と、この有線受信部により受信されたＤＭＸ信号のアドレスをシフトさせるシフト値を設定する設定手段と、この設定手段により設定されたシフト値に基づき、上記有線受信部により受信されたＤＭＸ信号のアドレスをシフトさせるシフト手段と、このシフト手段によりアドレスがシフトされたＤＭＸ信号を無線にて送信する無線送信部とを具備する無線送信機と；無線により送られるＤＭＸ信号を受信する無線受信部と、この無線受信部により受信されたＤＭＸ信号を有線にて送信する有線送信部とを具備する無線受信機と；無線受信機に接続され、当該無線受信機から送信されるＤＭＸ信号を、設定されているアドレスに対応して取り込み制御対象の調光制御を行う照明制御手段と；を具備することを特徴とする。
【００１１】
操作器は、大型の調光操作卓や可搬型の調光操作卓を含むものである。アドレスをシフトさせるシフト値を設定する設定手段は、キーボードタイプやダイヤルタイプの操作部、或いは、コネクタを介して接続されるものなどを許容する。ＤＭＸ信号は、すでに述べたＵＳＩＴＴが規格したＤＭＸ５１２を指すものである。シフト手段は、コンピュータにより実現することを許容する。制御対象とは、調光制御の対象である照明負荷のみならず色変換フィルムによる色変換速度の制御などをＤＭＸ信号により行う場合の照明器具の色変換機構、映像投影装置の映像制御または動作制御等であって、その他ＤＭＸ信号により制御可能な照明器具を含んで言う。また、照明制御手段は、調光器、照明器具の制御装置などを言う。
【００１２】
本発明に係る照明システムでは、無線受信機が複数台設けられると共に、それぞれの無線受信機に対応して１台以上の照明制御手段が接続されていることを特徴とする。
【００１３】
本発明に係る照明システムでは、無線送信機は、無線受信機は、無線受信部により受信されたＤＭＸ信号のアドレスをシフトさせるシフト値を設定する設定手段と、この設定手段により設定されたシフト値に基づき、上記無線受信部により受信されたＤＭＸ信号のアドレスをシフトさせるシフト手段とを具備し、この無線受信機の有線送信部が上記シフト手段によりシフトされたアドレスのＤＭＸ信号を有線にて送信することを特徴とする。
【００１４】
本発明に係る無線通信装置は、有線（または無線）により送られる調光制御を行うためのＤＭＸ信号を受信する有線（または無線）受信部と；有線（または無線）受信部により受信されたＤＭＸ信号のアドレスをシフトさせるシフト値を設定する設定手段と；設定手段により設定されたシフト値に基づき、有線（または無線）受信部により受信されたＤＭＸ信号のアドレスをシフトさせるシフト手段と；シフト手段によりシフトされたアドレスのＤＭＸ信号を無線（または有線）にて送信する無線（または有線）送信部と；を具備することを特徴とする。
【発明の効果】
【００１５】
本発明に係る照明システムによれば、ＤＭＸ信号のアドレスをシフトさせるシフト値を設定する設定手段により設定されたシフト値に基づき、有線により送られるＤＭＸ信号を受信する有線受信部により受信されたＤＭＸ信号のアドレスをシフトさせ、シフトされたアドレスのＤＭＸ信号を無線にて送信するので、ＤＭＸ信号のアドレスを所望だけシフトさせる無線受信機へ送信することができ、無線受信機及び照明制御手段が天井裏や高所に固定されているような場合に、地上側の無線送信機において一箇所でアドレスシフトのコントロールができ便利である。また、無線受信した信号をシフトして有線で送信するので、１フレーム分のＤＭＸ信号を待つ処理を一度で済ませることができ、遅延を抑制できる効果がある。
【００１６】
本発明に係る照明システムによれば、それぞれについて１台以上の照明制御手段が接続されている無線受信機が複数台設けられるので、複数台の各無線受信機に、同じアドレスシフトされたＤＭＸ信号を与えて調光制御ができるので便利である。
【００１７】
本発明に係る照明システムによれば、無線受信機において、無線受信部により受信されたＤＭＸ信号のアドレスをシフトさせるシフト値を設定することができ、設定されたシフト値に基づき、上記無線受信部により受信されたＤＭＸ信号のアドレスをシフトさせるので、地上側の無線送信機から送られたＤＭＸ信号に対してアドレスシフトのコントロールができ便利である。
【００１８】
本発明に係る無線通信装置によれば、無線送信する際に、或いは無線受信して有線にて送信する際に、シフトして送信するので、１フレーム分のＤＭＸ信号を待つ処理を一度で済ませることができ、遅延を抑制できる効果がある。
【発明を実施するための最良の形態】
【００１９】
以下添付図面を参照して本発明の実施例に係る無線通信装置を用いた照明システムの実施例を説明する。各図において、同一の構成要素には、同一の符号を付して重複する説明を省略する。図１には、第１の実施例に係る照明システムである調光システムの構成例が示されている。この調光システムでは、ＤＭＸ信号を出力する操作器１０と、操作器１０から出力されたＤＭＸ信号を無線にて送信する無線通信装置である無線送信機２０と、無線によりＤＭＸ信号を受信する無線受信機３０、３０Ａとを主な構成要素としている。
【００２０】
操作器１０により出力されるＤＭＸ信号は、信号線１１を介して無線送信機２０の有線受信部２１に受信される。無線送信機２０には、有線受信部２１の他、設定スイッチ２２、ＣＰＵ２３、無線送信部２４が備えられている。設定スイッチ２２は、ＤＭＸ信号のアドレスをシフトさせるシフト値を設定するためのもので、例えば、１から５１２までの数値を設定可能な押圧操作型のキーなどにより構成される。設定された３桁の数値は、ＣＰＵ２３に取り込まれる。ＣＰＵ２３は、この無線送信機２０を統括制御するものであり設定スイッチ２２により設定された３桁の数値に基づき、ＤＭＸ信号のアドレスをシフトさせて無線送信部２４へ送るシフト手段として機能する。無線送信部２４は与えられたＤＭＸ信号を無線により送信するものである。
【００２１】
無線受信機３０は、本発明の実施例に係る無線通信装置であり、無線受信機３０Ａは従来の装置である。無線受信機３０は、無線受信部３１、設定スイッチ３２、ＣＰＵ３３、有線送信部３４を備える。無線受信部３１は、無線送信機２０から送れるＤＭＸ信号を受信するものである。
【００２２】
設定スイッチ３２は、ＤＭＸ信号のアドレスをシフトさせるシフト値を設定するためのもので、設定スイッチ２２と同様に構成される。ＣＰＵ３３は、この無線受信機３０を統括制御するものであり設定スイッチ３２により設定された数値に基づき、ＤＭＸ信号のアドレスをシフトさせて有線送信部３４へ送るシフト手段として機能し、無線送信用のＤＭＸ信号を有線送信部３４へ送出する。有線送信部３４は与えられたＤＭＸ信号を有線により信号線４０へ送信するものである。
【００２３】
信号線４０には、複数台（ここでは３台）の調光器４１、４２、４３が接続されており、自らに設定されたアドレスに対応するチャネルのＤＭＸ信号による調光レベル情報を取り込む。自らに設定されたアドレスに対応するチャネルの検出は、すでに述べた通り、フレームの開始からスタートビットとストップビットに挟まれたチャネルが幾つ到来したかをカウントして検出する。調光器４１、４２、４３は、このようにして取り込んだ調光レベル情報に基づき対応する明るさとなるように、接続されている照明負荷５１、５２、５３の制御を行う。
【００２４】
無線受信機３０Ａは、無線受信部３１Ａ、ＣＰＵ３３Ａ、有線送信部３４Ａを備える。無線受信部３１Ａは、無線送信機２０から送れるＤＭＸ信号を受信するものである。ＣＰＵ３３Ａは、この無線受信機３０Ａを統括制御するものであり、無線受信部３１Ａから送れるＤＭＸ信号を無線送信用のＤＭＸ信号として有線送信部３４Ａへ送出する。有線送信部３４Ａは与えられたＤＭＸ信号を有線により信号線４０Ａへ送信するものである。
【００２５】
信号線４０Ａには、複数台（ここでは３台）の調光器４３、４４、４５が接続されており、自らに設定されたアドレスに対応するチャネルのＤＭＸ信号による調光レベル情報を取り込む。自らに設定されたアドレスに対応するチャネルの検出は、すでに述べた通り、フレームの開始からスタートビットとストップビットに挟まれたチャネルが幾つ到来したかをカウントして検出する。調光器４４、４５、４６は、このようにして取り込んだ調光レベル情報に基づき対応する明るさとなるように、接続されている照明負荷５４、５５、５６の制御を行う。
【００２６】
以上の通りに構成された調光システムでは、例えば、無線送信機２０の設定スイッチ２２を操作して所望のシフト値を設定することにより、無線送信機２０においてＤＭＸ信号のアドレスがシフトされる。例えば、操作器１０において、ＤＭＸ信号のチャネル１〜５１２に図２（ａ）に示される値の調光レベルが設定され出力される。
【００２７】
ここで、無線送信機２０の設定スイッチ２２によりシフト値が「４」に設定されていると、チャネル１の調光レベルがチャネル４にシフトされ、チャネル２の調光レベルがチャネル５にシフトされ、チャネル３の調光レベルがチャネル６にシフトされ、・・・、チャネル５０９の調光レベルがチャネル５１２にシフトされる（図２（ｂ））。
【００２８】
元のチャネル５１０〜５１２の調光レベルは廃棄され、シフトされた後のチャネル１〜３には調光レベル０がセットされる（図２（ｂ））。ただし、シフト機能としてローテーション機能を含ませるようにＣＰＵ２３を構成し、元のチャネル５１０〜５１２の調光レベルを、シフトされた後のチャネル１〜３にはセットするように構成しても良い。
【００２９】
上記のように無線送信機２０にてアドレスがシフトされたＤＭＸ信号については、無線送信部２４から調光レベルが図２（ｃ）のように伝送され、無線受信機３０（３０Ａ）により受信される。無線受信機３０において、設定スイッチ３２の設定値が１に設定されていると仮定して、信号線４０（４０Ａ）には図２（ｄ）のようなＤＭＸ信号として送出される。
【００３０】
このような無線送信機２０にて設定スイッチ２２のシフト値を４としてアドレスをシフトさせて使用すると、図３に示すように無線受信機３０Ａ、３０Ａに接続されている機器（調光器と照明負荷を含むもの）Ａ、Ｄのアドレスが４、機器Ｂ、Ｅのアドレスが５、機器Ｃ、Ｆのアドレスが６の場合に、操作器１０の出力ではチャネル１、２、３に対応する調光レベルを、それぞれ機器Ａ、Ｄ、機器Ｂ、Ｅ、機器Ｃ、Ｆに与えることができる。
【００３１】
また、機器Ａ、Ｂ、Ｃのアドレスが４、５、６であり、機器Ｄ、Ｅ、Ｆのアドレスが７、８、９である場合には、図４に示す通り、２台の無線送信機２０、２０を用いる。機器Ａ、Ｂ、Ｃに接続された無線受信機３０Ａへ送信を行う無線送信機２０では設定スイッチ２２によりシフト値を「４」に設定し、機器Ｄ、Ｅ、Ｆに接続された無線受信機３０Ａへ送信を行う無線送信機２０では設定スイッチ２２によりシフト値を「７」に設定する。これにより、操作器１０の出力ではチャネル１、２、３に対応する調光レベルを、アドレスが４、５、６である機器Ａ、Ｂ、Ｃと、アドレスが７、８、９である機器Ｄ、Ｅ、Ｆへそれぞれ与えることができる。
【００３２】
図１において、例えば、無線受信機３０の設定スイッチ３２を操作して所望のシフト値を設定することにより、無線受信機３０においてＤＭＸ信号のアドレスがシフトされる。ここでは、無線送信機２０の設定スイッチ２２ではシフト値１であり、シフトは行われないものとする。例えば、操作器１０において、ＤＭＸ信号のチャネル１〜５１２に図５（ａ）に示される値の調光レベルが設定され出力される。
【００３３】
ここで、無線送信機２０の設定スイッチ２２によりシフト値が「１」に設定されているので、無線送信機２０にてアドレスがシフトなされることなく、ＤＭＸ信号は図５（ｂ）のように元から変化がなく、無線送信機２０から調光レベルが図５（ｃ）のように伝送される。
【００３４】
これを受けた無線受信機３０の設定スイッチ３２によりシフト値が「４」に設定されているので、チャネル１の調光レベルがチャネル４にシフトされ、チャネル２の調光レベルがチャネル５にシフトされ、チャネル３の調光レベルがチャネル６にシフトされ、・・・、チャネル５０９の調光レベルがチャネル５１２にシフトされる（図５（ｄ））。
【００３５】
元のチャネル５１０〜５１２の調光レベルは廃棄され、シフトされた後のチャネル１〜３には調光レベル０がセットされる（図５（ｄ））。ただし、シフト機能としてローテーション機能を含ませるようにＣＰＵ３３を構成し、元のチャネル５１０〜５１２の調光レベルを、シフトされた後のチャネル１〜３にはセットするように構成しても良い。
【００３６】
上記のように無線受信機３０にてアドレスがシフトされたＤＭＸ信号については、信号線４０に図５（ｄ）のようなＤＭＸ信号として送出される。シフト機能を持たない無線受信機３０を経由するＤＭＸ信号は、図６に示されるように操作器１０から出力されたＤＭＸ信号のアドレスと調光レベルの対応関係が保たれて信号線４０に送出される。
【００３７】
このような無線受信機３０、３０を、図７に示すように機器Ａ、Ｂ、Ｃと、機器Ｄ、Ｅ、Ｆに接続して、無線受信機３０、３０の設定スイッチ３２、３２を共に４としてアドレスをシフトさせて使用すると、機器Ａ、Ｄのアドレスが４、機器Ｂ、Ｅのアドレスが５、機器Ｃ、Ｆのアドレスが６の場合に、操作器１０の出力ではチャネル１、２、３に対応する調光レベルを機器Ａ、Ｄ、機器Ｂ、Ｅ、機器Ｃ、Ｆに与えることができる。
【００３８】
また、機器Ａ、Ｂ、Ｃのアドレスが４、５、６であり、機器Ｄ、Ｅ、Ｆのアドレスが７、８、９である場合には、図８に示す通り、機器Ａ、Ｂ、Ｃに接続された無線受信機３０の設定スイッチ３２を４とし、機器Ｄ、Ｅ、Ｆに接続された無線受信機３０の設定スイッチ３２を７として、使用する。操作器１０には、ＤＭＸ信号のアドレスシフト機能を持たない無線送信機２０Ａを接続し送信を行う。これにより、操作器１０の出力ではチャネル１、２、３に対応する調光レベルを、アドレスが４、５、６である機器Ａ、Ｂ、Ｃと、アドレスが７、８、９である機器Ｄ、Ｅ、Ｆへそれぞれ与えることができる。即ち、複数の無線受信機３０、３０、・・・毎に、アドレスのシフト値を変更して異なるアドレスが設定（固定）された機器に対応可能である。
【００３９】
また、図１に示すように、無線送信機２０が設定スイッチ２２を備え、無線受信機３０が設定スイッチ３２を備える場合には、無線送信機２０と無線受信機３０の双方でＤＭＸ信号のアドレスシフトを行って使用することも可能である。
【図面の簡単な説明】
【００４０】
【図１】本発明の調光システムの実施例を示す構成図。
【図２】本発明の実施例に係る無線通信装置としての無線送信機を用いてアドレスをシフトさせる場合の各伝送段階におけるＤＭＸ信号の調光レベルの一例を示す図。
【図３】本発明の実施例に係る無線通信装置としての無線送信機を用いて一括でアドレスをシフトさせる構成を採用した調光システムの構成図。
【図４】本発明の実施例に係る無線通信装置としての無線送信機を用いて個別でアドレスをシフトさせる構成を採用した調光システムの構成図。
【図５】本発明の実施例に係る無線通信装置としての無線受信機を用いてアドレスをシフトさせる場合の各伝送段階におけるＤＭＸ信号の調光レベルの一例を示す図。
【図６】従来例に係る無線送信機を用いてＤＭＸ信号を伝送する場合の各伝送段階におけるＤＭＸ信号の調光レベルの一例を示す図。
【図７】本発明の実施例に係る無線通信装置としての無線受信機を２台用いてアドレスを同じだけシフトさせる構成を採用した調光システムの構成図。
【図８】本発明の実施例に係る無線通信装置としての無線受信機を２台用いてアドレスを個別でシフトさせる構成を採用した調光システムの構成図。
【図９】従来例に係る無線送信機と無線受信機を用いて構成した調光システムの構成図。
【符号の説明】
【００４１】
１０  操作器
２０  無線送信機２０Ａ    無線送信機
２１  有線受信部
２２、３２  設定スイッチ
２３、３３  ＣＰＵ
２４  無線送信部
３０、３０Ａ  無線受信機
３１、３１Ａ  無線受信部
３４、３４Ａ  有線送信部
４１〜４６  調光器
５１〜５６  照明負荷
【図１】
2008235122.tif 000003
【図２】
2008235122.tif 000004
【図３】
2008235122.tif 000005
【図４】
2008235122.tif 000006
【図５】
2008235122.tif 000007
【図６】
2008235122.tif 000008
【図７】
2008235122.tif 000009
【図８】
2008235122.tif 000010
【図９】
2008235122.tif 000011